(57)【要約】【課題】簡便に体温計を殺菌できる体温計殺菌装置を提供する。【解決手段】体温計殺菌装置１０は、体温計５０の先端部５４が挿入される挿入口２０が設けられる筐体１２と、筐体１２の内部に設けられ、挿入口２０に挿入される体温計５０の先端部５４に紫外光を照射する光源３０と、光源３０の点灯を制御する制御部４０と、を備える。体温計殺菌装置１０は、挿入口２０への体温計５０の挿入を検知するセンサ２４をさらに備えてもよい。制御部４０は、センサ２４により体温計５０の挿入が検知された場合に光源３０を点灯させてもよい。【選択図】図１
2018068706.tif 000002
【特許請求の範囲】
【請求項１】
体温計の先端部が挿入される挿入口が設けられる筐体と、
前記筐体の内部に設けられ、前記挿入口に挿入される体温計の先端部に紫外光を照射する光源と、
前記光源の点灯を制御する制御部と、を備えることを特徴とする体温計殺菌装置。
【請求項２】
前記挿入口に設けられ、体温計の挿抜時に変形し、体温計が挿入された状態および挿入されていない状態において前記挿入口から前記筐体の外部への紫外光の漏れを防ぐように構成されるシール部材をさらに備えることを特徴とする請求項１に記載の体温計殺菌装置。
【請求項３】
前記挿入口への体温計の挿入を検知するセンサをさらに備え、
前記制御部は、前記センサにより体温計の挿入が検知された場合に前記光源を点灯させることを特徴とする請求項１または２に記載の体温計殺菌装置。
【請求項４】
前記光源が点灯中であるか否かを示すための表示部をさらに備えることを特徴とする請求項１から３のいずれか一項に記載の体温計殺菌装置。
【請求項５】
前記挿入口は、前記筐体の上面に設けられており、
前記光源は、前記挿入口と対向する前記筐体内の下面に設けられる下面発光部を有することを特徴とする請求項１から４のいずれか一項に記載の体温計殺菌装置。
【請求項６】
前記光源は、前記筐体内の側面に設けられる側面発光部を有することを特徴とする請求項１から５のいずれか一項に記載の体温計殺菌装置。
【請求項７】
前記筐体の内部に設けられ、紫外光を乱反射させる反射部材をさらに備えることを特徴とする請求項１から６のいずれか一項に記載の体温計殺菌装置。
【請求項８】
前記挿入口は、前記筐体に複数設けられることを特徴とする請求項１から７のいずれか一項に記載の体温計殺菌装置。
【発明の詳細な説明】
【技術分野】
【０００１】
本発明は、殺菌装置に関し、特に、体温計を殺菌する技術に関する。
【背景技術】
【０００２】
病院では、患者の体温を測るために電子体温計が一般的に用いられる。体温計は、不特定多数の患者に対して繰り返し使用されるため、使用の都度、衛生的に使用できるようになされる。例えば、消毒液に体温計を浸けて殺菌処理を施したり（特許文献１参照）、体温計のセンサ部に使い捨てのプローブカバーを着脱したり（特許文献２参照）する技術が提案されている。
【先行技術文献】
【特許文献】
【０００３】
【特許文献１】実開昭６４−１５１３１号公報
【特許文献２】実公平１−３３５０４号公報
【発明の概要】
【発明が解決しようとする課題】
【０００４】
電子体温計を消毒液に浸して殺菌する場合、センサ部への消毒液の侵入により故障するおそれがある。また、使用の都度、カバーを着脱することは手間であり、カバーを介することで体温を正しく計測できなくなるおそれがある。
【０００５】
本発明はこうした課題に鑑みてなされたものであり、その例示的な目的のひとつは、簡便に体温計を殺菌できる装置を提供することにある。
【課題を解決するための手段】
【０００６】
上記課題を解決するために、本発明のある態様の体温計殺菌装置は、体温計の先端部が挿入される挿入口が設けられる筐体と、筐体の内部に設けられ、挿入口に挿入される体温計の先端部に紫外光を照射する光源と、光源の点灯を制御する制御部と、を備える。
【０００７】
この態様によると、筐体の挿入口に体温計を挿入して光源を点灯させることで、体温計の先端部を紫外光照射により殺菌できる。筐体内で紫外光照射がなされるため、殺菌装置の使用者等に紫外光が照射されてしまうことを防ぐことができる。したがって、本態様によれば、簡便かつ安全に体温計を殺菌できる。
【０００８】
挿入口に設けられ、体温計の挿抜時に変形し、体温計が挿入された状態および挿入されていない状態において挿入口から筐体の外部への紫外光の漏れを防ぐように構成されるシール部材をさらに備えてもよい。
【０００９】
挿入口への体温計の挿入を検知するセンサをさらに備えてもよい。制御部は、センサにより体温計の挿入が検知された場合に光源を点灯させてもよい。
【００１０】
光源が点灯中であるか否かを示すための表示部をさらに備えてもよい。
【００１１】
挿入口は、筐体の上面に設けられており、光源は、挿入口と対向する筐体内の下面に設けられる下面発光部を有してもよい。
【００１２】
光源は、筐体内の側面に設けられる側面発光部を有してもよい。
【００１３】
筐体の内部に設けられ、紫外光を乱反射させる反射部材をさらに備えてもよい。
【００１４】
挿入口は、筐体に複数設けられてもよい。
【発明の効果】
【００１５】
本発明によれば、体温計を簡便に殺菌可能な装置を提供できる。
【図面の簡単な説明】
【００１６】
【図１】実施の形態に係る体温計殺菌装置の構成を概略的に示す断面図である。
【図２】実施の形態に係る体温計殺菌装置の構成を概略的に示す上面図である。
【発明を実施するための形態】
【００１７】
以下、図面を参照しながら、本発明を実施するための形態について詳細に説明する。なお、説明において同一の要素には同一の符号を付し、重複する説明を適宜省略する。
【００１８】
図１は、実施の形態に係る体温計殺菌装置１０の構成を概略的に示す断面図である。図２は、体温計殺菌装置１０の構成を概略的に示す上面図である。体温計殺菌装置１０は、筐体１２と、シール部材２２と、センサ２４と、反射部材２６と、光源３０と、制御部４０と、表示部４２と、操作部４４とを備える。筐体１２には、体温計５０の先端部５４が挿入される挿入口２０が設けられる。体温計殺菌装置１０は、筐体１２の内部に挿入される体温計５０に紫外光を照射して体温計５０の先端部５４を殺菌するために用いられる。
【００１９】
挿入口２０は、筐体１２の上面１４に複数設けられる。挿入口２０は、体温計５０の本体部５２よりも径の細い先端部５４が挿通可能な大きさを有する。挿入口２０は、体温計５０の本体部５２が筐体１２の内部に落下しないように本体部５２が挿通不能となる大きさを有してもよい。つまり、挿入口２０は、先端部５４の径よりも大きく、本体部５２の径よりも小さい開口であってもよい。挿入口２０は、上面１４において二次元アレイ状に並んで配置される。挿入口２０は、上面１４において一列に配置されてもよいし、不規則に配置されてもよい。変形例において、挿入口２０は、上面１４に一つだけ設けられてもよい。
【００２０】
シール部材２２は、筐体１２内の上面１４に設けられる。シール部材２２は、可撓性および弾力性を有する樹脂材料などで構成される。シール部材２２は、紫外光に対する耐久性が高い材料であることが好ましく、フッ素系樹脂やシリコーン樹脂などで構成されることが好ましい。シール部材２２には、挿入口２０に対応する位置に切れ込み２８が設けられる。切れ込み２８は、十字状に設けられており、体温計５０の挿抜時に筐体１２の内側に撓んで体温計５０の先端部５４が挿通可能となる大きさの開口を形成する。
【００２１】
シール部材２２は、体温計５０が挿入された状態および体温計５０が挿入されていない状態において挿入口２０を塞ぐように構成される。体温計５０が挿入された状態において、シール部材２２の切れ込み２８が設けられる部分が下方に撓んで体温計５０の先端部５４と接触し、挿入口２０と先端部５４の隙間を塞ぐ。体温計５０が挿入されていない状態において、シール部材２２の切れ込み２８が設けられる部分が互いに接触して切れ込み２８の隙間を塞ぐ。このようにして、シール部材２２は、挿入口２０から筐体１２の外部への紫外光の漏れを防ぐ。
【００２２】
センサ２４は、挿入口２０への体温計５０の挿入を検知するために設けられる。センサ２４は、複数の挿入口２０のそれぞれに設けられ、いずれの挿入口２０にて体温計５０の挿入または抜去されるかを個別に検知できるように構成される。センサ２４は、例えばシール部材２２に設けられる圧力センサであり、体温計５０の挿入によるシール部材２２の変形を検知する。センサ２４は、シート状の圧力センサであってもよく、シール部材２２と積層されてもよい。なお、センサ２４の形式は問わず、挿入口２０への体温計５０の挿入が検知できればどのような種類のセンサを用いてもよい。
【００２３】
反射部材２６は、筐体１２の内部に設けられ、光源３０が発する紫外光を反射させて筐体１２の内部の紫外光の強度分布が均一となるようにする。反射部材２６は、紫外光反射率の高い材料で構成され、例えば、アルミニウムなどで構成される。反射部材２６は、規則的または不規則な凹凸を有しており、反射部材２６に入射する紫外光を乱反射させるように構成される。紫外光を乱反射させることで、筐体１２の内部の強度分布がより均一となるようにすることができる。図示する例において、反射部材２６は、筐体１２の内部のうち下面１６および側面１８に設けられている。変形例においては、挿入口２０に挿入される体温計５０の間を仕切るように反射部材２６が設けられてもよい。
【００２４】
光源３０は、筐体１２の内部に設けられ、挿入口２０に挿入される体温計５０の先端部５４に向けて紫外光を照射する。光源３０は、下面発光部３２と、側面発光部３４とを有する。下面発光部３２は、筐体１２の内部の下面１６に設けられる。下面発光部３２は、挿入口２０と対向する位置に設けられ、挿入口２０に挿入される体温計５０の感温部５６と向かい合うように配置される。側面発光部３４は、筐体１２の内部の側面１８に設けられる。
【００２５】
下面発光部３２および側面発光部３４は、紫外光を発するＵＶ−ＬＥＤ（Ultra Violet-Light Emitting Diode）である。下面発光部３２および側面発光部３４は、中心波長またはピーク波長が約２００ｎｍ〜３５０ｎｍの範囲に深紫外光を出力する。下面発光部３２および側面発光部３４は、殺菌効率の高い波長である２６０ｎｍ〜２７０ｎｍ付近の紫外光を発することが好ましい。このような波長を出力する発光素子として、例えば、窒化アルミニウムガリウム（ＡｌＧａＮ）を用いたものが知られている。
【００２６】
制御部４０は、光源３０の点灯を制御する。制御部４０は、センサ２４からの信号に基づいて体温計５０の挿入が検知された場合に光源３０を点灯させ、体温計５０の殺菌処理が開始されるようにする。制御部４０は、光源３０の点灯を開始してから所定時間後に光源３０を消灯させる。制御部４０は、体温計５０の殺菌処理に必要十分となる点灯時間をあらかじめ記憶しており、その時間の経過後に光源３０を自動的に消灯させる。制御部４０は、光源３０の点灯中に体温計５０の挿抜が検知された場合、光源３０を一時的に消灯させてもよい。これにより、体温計５０の挿抜時に挿入口２０を通じて紫外光が外部に漏れ出すのを防いでもよい。
【００２７】
表示部４２は、筐体１２の上面１４に設けられ、体温計殺菌装置１０の動作状態を示す。表示部４２は、例えば可視光を発するＬＥＤであり、光源３０の点灯中に点灯し、光源３０の消灯中に消灯する。表示部４２は、体温計５０の殺菌処理の開始前であるか、殺菌処理の完了後であるかが識別可能となるような態様で動作状態を示してもよい。表示部４２はさらに、体温計殺菌装置１０の電源がオンであるかオフであるかが識別可能となる態様で動作状態を示してもよい。表示部４２は、例えば、体温計殺菌装置１０の電源がオフの場合に非点灯となり、体温計殺菌装置１０の電源がオンであって光源３０が非点灯の場合に赤色で点灯し、光源３０が点灯中の場合に緑色で点灯し、光源３０が消灯されて体温計５０の殺菌が完了した場合に赤色で点滅してもよい。変形例において、表示部４２は、液晶ディスプレイで構成され、文字、画像、アイコンなどを用いて動作状態を示してもよい。
【００２８】
操作部４４は、筐体１２の上面１４に設けられ、体温計殺菌装置１０を動作させるためのスイッチなどを有する。操作部４４は、ユーザから体温計殺菌装置１０の電源のオンオフや、光源３０の点灯および消灯の操作を受け付ける。制御部４０は、操作部４４により光源３０を点灯させる操作がなされた場合に光源３０を点灯させてもよい。制御部４０は、体温計５０が挿入口２０に挿入されていることが検知され、かつ、操作部４４を通じて光源３０を点灯させる操作がなされた場合にのみ光源３０を点灯させてもよい。
【００２９】
以上の構成によれば、体温計殺菌装置１０は、挿入口２０を通じて筐体１２の内部に挿入される体温計５０の先端部５４に紫外光を照射し、体温計５０の殺菌処理を施す。本実施の形態によれば、紫外光照射により体温計５０を殺菌できるため、体温計５０を消毒液に浸けたり、消毒液で体温計５０を拭き取ったりする場合と比べて体温計５０の殺菌にかかる手間を軽減できる。また、筐体１２の外部に紫外光が漏れないように構成されているため、体温計殺菌装置１０を使用する場所を選ばず、使いやすい場所に体温計殺菌装置１０を設置して体温計５０を殺菌することができる。これにより、体温計５０をより簡便に殺菌することができる。
【００３０】
以上、本発明を実施例にもとづいて説明した。本発明は上記実施の形態に限定されず、種々の設計変更が可能であり、様々な変形例が可能であること、またそうした変形例も本発明の範囲にあることは、当業者に理解されるところである。
【００３１】
上述の実施の形態では、光源３０による殺菌処理の完了を時間で制御する場合を示した。変形例においては、体温計５０に照射される紫外光量を検出し、検出された紫外光量の積算値が所定の閾値を超えた場合に光源３０を消灯させるようにしてもよい。この場合、筐体１２の内部に紫外光量を測定する光量センサが設けられ、制御部４０は光量センサの測定結果に基づいて光源３０の点灯を制御してもよい。
【００３２】
さらなる変形例では、筐体１２の内部に設けられる下面発光部３２および側面発光部３４の全てを同時に点灯させるのではなく、体温計５０の殺菌に必要な一部箇所のみ選択的に光源３０を点灯させてもよい。例えば、センサ２４により体温計５０の挿入が検知される挿入口２０に対応する位置に設けられる下面発光部３２のみを点灯させ、体温計５０が挿入されていない挿入口２０に対応する位置の下面発光部３２は非点灯としてもよい。このように必要な箇所のみ紫外光が照射されるようにすることで、体温計殺菌装置１０の消費電力を低減させ、光源３０に用いられる発光素子の劣化を防いでもよい。
【００３３】
さらなる変形例では、体温計殺菌装置１０は、挿入口２０に挿入された体温計５０および筐体１２の上面１４を覆うように設けられるカバーをさらに備えてもよい。カバーは、筐体１２に蝶番などで固定されて開閉できるように構成されてもよい。カバーは、紫外光を遮蔽する材料で構成され、筐体１２の外部への紫外光の漏れを完全に防ぐように構成されてもよい。この場合、カバーの外側に表示部４２が設けられてもよいし、表示部４２と同様の機能を有する別の表示部が設けられてもよい。
【００３４】
さらなる変形例では、筐体１２の下面１６のみに紫外発光素子が設けられてもよいし、筐体１２の側面１８のみに紫外発光素子が設けられてもよい。また、筐体１２の内部の上面１４に紫外光発光素子が取り付けられてもよい。
【符号の説明】
【００３５】
１０…体温計殺菌装置、１２…筐体、１４…上面、１６…下面、１８…側面、２０…挿入口、２２…シール部材、２４…センサ、２６…反射部材、３０…光源、３２…下面発光部、３４…側面発光部、４０…制御部、４２…表示部、５０…体温計、５４…先端部。
【図１】
2018068706.tif 000003
【図２】
2018068706.tif 000004